(57)【要約】【課題】連写モードやパノラマモードなどで撮影して得られた一連の画像データを効果的に表示手段に表示させることができる再生プログラム及び再生データ生成プログラム並びにデータ記録装置の提供。【解決手段】コンピュータを、情報ファイル、画像データや再生プログラムの記述、記録手段の記録構造などを参照して、一連の画像データの関連付け情報を取得する関連付け情報取得手段２８、取得した関連付け情報を参照して、連写モードで撮影して得られた一連の画像データを特定し、各々の画像データに基づく画像の再生時間を制御して再生、又は、パノラマモードで撮影して得られた一連の画像データを特定し、各々の画像データに基づく画像の表示位置を制御して再生する再生制御手段２９として機能させるものであり、各種モードで得られた一連の画像データを効果的に表示手段に表示させることができる。【選択図】図４
2005269021.tif 000002
【特許請求の範囲】
【請求項１】
コンピュータを、
一連の画像データを関連付ける関連付け情報を取得する関連付け情報取得手段、
前記関連付け情報を参照して、前記一連の画像データを関連付けて前記表示手段に表示させる再生制御手段、として機能させることを特徴とする再生プログラム。
【請求項２】
関連付け情報取得手段は、前記一連の画像データが記録されている記録手段に予め記録された特定の情報ファイルの記述を参照して、前記関連付け情報を取得することを特徴とする請求項１記載の再生プログラム。
【請求項３】
関連付け情報取得手段は、前記一連の画像データのヘッダ領域又は前記再生プログラム中の記述を参照して、前記関連付け情報を取得することを特徴とする請求項１記載の再生プログラム。
【請求項４】
関連付け情報取得手段は、前記一連の画像データが記録されている記録手段に作成されているフォルダの階層構造又はフォルダの名称に基づいて特定される記録構造、又は、前記一連の画像データのファイル名を参照して、前記関連付け情報を取得することを特徴とする請求項１記載の再生プログラム。
【請求項５】
前記一連の画像データは、連写モードで撮影して得られた複数の画像データ又はパノラマモードで撮影して得られた複数の画像データであることを特徴とする請求項１乃至４のいずれか一に記載の再生プログラム。
【請求項６】
前記再生制御手段では、前記一連の画像データが連写モードで撮影して得られた複数の画像データの場合に、前記一連の画像データのヘッダ領域に記述された撮影日時情報に基づいて算出される撮影時の時間間隔、又は予め定められた時間間隔、又は、スライドショー再生におけるスライド間隔を前記一連の画像データの画像データ数で除算した時間間隔のいずれかにより、前記一連の画像データを連続して再生することを特徴とする請求項５記載の再生プログラム。
【請求項７】
前記再生制御手段では、前記一連の画像データがパノラマモードで撮影して得られた複数の画像データの場合に、前記一連の画像データのヘッダ領域に記述された撮影方向情報に基づいて特定される位置関係により、前記一連の画像データを合成して再生することを特徴とする請求項５記載の再生プログラム。
【請求項８】
コンピュータを、
一連の画像データを関連付ける関連付け情報を生成する関連付け情報生成手段、
前記一連の画像データと、前記関連付け情報と、コンピュータを、前記関連付け情報を参照して、前記一連の画像データを関連付けて前記表示手段に表示させる再生制御手段として機能させるプログラムと、を含む再生データを生成する手段、として機能させることを特徴とする再生データ生成プログラム。
【請求項９】
前記関連付け情報は、特定の情報ファイルに記述、又は前記一連の画像データのヘッダ領域に記述、又は前記再生プログラム中に記述されることを特徴とする請求項８記載の再生データ生成プログラム。
【請求項１０】
前記一連の画像データは、連写モードで撮影して得られた複数の画像データ又はパノラマモードで撮影して得られた複数の画像データであることを特徴とする請求項８又は９に記載の再生データ生成プログラム。
【請求項１１】
少なくとも、連写撮影モード又はパノラマ撮影モードにより一連の画像データを取得する手段と、
前記一連の画像データを関連付ける関連付け情報を生成する関連付け情報生成手段と、
前記一連の画像データと、前記関連付け情報と、コンピュータを、前記関連付け情報を参照して、前記一連の画像データを関連付けて前記表示手段に表示させる再生制御手段として機能させるプログラムと、を含む再生データを生成する手段と、
少なくとも前記再生データを記録媒体に記録する手段と、を少なくとも備えることを特徴とするデジタルカメラ。
【請求項１２】
前記関連付け情報は、特定の情報ファイルに記述、又は前記一連の画像データのヘッダ領域に記述、又は前記再生プログラム中に記述されることを特徴とする請求項１１記載のデジタルカメラ。
【請求項１３】
少なくとも、連写撮影モード又はパノラマ撮影モードにより撮影して得られた一連の画像データを入力する手段と、
前記一連の画像データを関連付ける関連付け情報を生成する関連付け情報生成手段と、
前記一連の画像データと、前記関連付け情報と、コンピュータを、前記関連付け情報を参照して、前記一連の画像データを関連付けて前記表示手段に表示させる再生制御手段として機能させるプログラムと、を含む再生データを生成する手段と、
少なくとも前記再生データを記録媒体に記録する手段と、を少なくとも備えることを特徴とするデータ記録装置。
【請求項１４】
少なくとも、連写撮影モード又はパノラマ撮影モードにより撮影して得られた一連の画像データを入力する手段と、
前記一連の画像データを関連付ける関連付け情報を生成する関連付け情報生成手段と、
前記一連の画像データと、前記関連付け情報と、コンピュータを、前記関連付け情報を参照して、前記一連の画像データを関連付けて前記表示手段に表示させる再生制御手段として機能させるプログラムと、を含む再生データを生成する手段と、
前記一連の画像データを含む画像データをＶｉｄｅｏ−ＣＤ形式、ＤＶＤ−Ｖｉｄｅｏ形式、ＨＤＴＶ形式のいずれかの形式のデータに変換する手段と、
少なくとも前記再生データと前記変換されたデータとを記録媒体に記録する手段と、を少なくとも備えることを特徴とするデータ記録装置。
【請求項１５】
前記関連付け情報は、特定の情報ファイルに記述、又は前記一連の画像データのヘッダ領域に記述、又は前記再生プログラム中に記述されることを特徴とする請求項１３又は１４に記載のデータ記録装置。
【発明の詳細な説明】
【技術分野】
【０００１】
本発明は、互いに関連付けられた一連の画像データを効果的に表示手段に表示させるための再生プログラム及び再生データ生成プログラム並びに再生データを生成して記録するデータ記録装置に関する。
【背景技術】
【０００２】
近年、写真に関連する様々なサービスが提供されるようになってきている。例えば、ユーザがデジタルカメラで写真を撮影し、デジタルカメラやデジタルカメラ用メディアをミニラボ等の写真店に持ち込み、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（例えば、特開平５−１８２３７３号公報等）。
【０００３】
【特許文献１】特開平５−１８２３７３号公報（第４−６頁、第３図）
【発明の開示】
【発明が解決しようとする課題】
【０００４】
上記サービスを利用することにより、ＣＤ−Ｒ、ＤＶＤ−Ｒなどの記録媒体に、デジタルカメラで撮影された各種画像データ、例えば、通常の撮影モードや連写モード、パノラマモードで撮影された画像データなどを記録することができ、該記録媒体をパーソナルコンピュータなどのコンピュータ機器に装填することによりこれらの画像データを表示手段に表示させることができる。
【０００５】
ここで、通常の撮影モードでは１つ１つの画像データが独立しているため、各々の画像データに基づく画像を１つずつ表示しても問題はないが、連写モードで撮影された一連の画像データは撮影時と同様に連続して再生することにより効果的な表示が可能となる。しかしながら、連写モードで撮影した場合、記録媒体には各々の画像データに基づく画像を配列して作成した合成画像（例えば、１６コマの画像を４行４列に配列した合成画像）の画像データのみが記録される場合があり、この場合は一連の画像データをコマ送りで再生することができない。また、一連の画像データが記録される場合でも、これらを関連付けるための情報が記録されないため、各々の画像データの関連を判別することができず、一連の画像データを用いて簡単に連写画像を再生することができないという問題があった。
【０００６】
また、パノラマモードで撮影して場合、デジタルカメラ内で一連の画像データの各々に基づく画像を繋ぎ合わせたパノラマ画像が作成され、記録媒体には、該パノラマ画像の画像データが記録されるため、コンピュータ機器に予めインストールされた画像合成プログラムなどを用いてユーザ自身がパノラマ画像を作成することができない。また、パノラマ画像の基となる一連の画像データが記録される場合もあるが、この場合もこれらを関連付ける情報が記録されていないため、各々の画像データの関連を判別することができず、やはり一連の画像データを用いて簡単にパノラマ画像を再生することができないという問題があった。
【０００７】
本発明は、上記問題点に鑑みてなされたものであって、その主たる目的は、連写モードやパノラマモードなどで撮影して得られた一連の画像データを効果的に表示手段に表示させることができる再生プログラム及び再生データを生成する再生データ生成プログラム並びに再生データを生成して記録媒体に記録するデータ記録装置を提供することにある。
【課題を解決するための手段】
【０００８】
上記目的を達成するため、本発明の再生プログラムは、コンピュータを、一連の画像データを関連付ける関連付け情報を取得する関連付け情報取得手段、前記関連付け情報を参照して、前記一連の画像データを関連付けて前記表示手段に表示させる再生制御手段、として機能させるものである。
【０００９】
本発明においては、関連付け情報取得手段は、前記一連の画像データが記録されている記録手段に予め記録された特定の情報ファイルの記述を参照して、前記関連付け情報を取得、又は、前記一連の画像データのヘッダ領域又は前記再生プログラム中の記述を参照して、前記関連付け情報を取得、又は、前記一連の画像データが記録されている記録手段に作成されているフォルダの階層構造又はフォルダの名称に基づいて特定される記録構造、又は、前記一連の画像データのファイル名を参照して、前記関連付け情報を取得する構成とすることができる。
【００１０】
また、本発明においては、前記一連の画像データは、連写モードで撮影して得られた複数の画像データ又はパノラマモードで撮影して得られた複数の画像データであることが好ましい。
【００１１】
また、本発明においては、前記再生制御手段では、前記一連の画像データが連写モードで撮影して得られた複数の画像データの場合に、前記一連の画像データのヘッダ領域に記述された撮影日時情報に基づいて算出される撮影時の時間間隔、又は予め定められた時間間隔、又は、スライドショー再生におけるスライド間隔を前記一連の画像データの画像データ数で除算した時間間隔のいずれかにより、前記一連の画像データを連続して再生する構成とすることができる。
【００１２】
また、本発明においては、前記再生制御手段では、前記一連の画像データがパノラマモードで撮影して得られた複数の画像データの場合に、前記一連の画像データのヘッダ領域に記述された撮影方向情報に基づいて特定される位置関係により、前記一連の画像データを合成して再生する構成とすることもできる。
【００１３】
また、本発明の再生データ生成プログラムは、コンピュータを、一連の画像データを関連付ける関連付け情報を生成する関連付け情報生成手段、前記一連の画像データと、前記関連付け情報と、コンピュータを、前記関連付け情報を参照して、前記一連の画像データを関連付けて前記表示手段に表示させる再生制御手段として機能させるプログラムと、を含む再生データを生成する手段、として機能させるものである。
【００１４】
本発明においては、前記関連付け情報は、特定の情報ファイルに記述、又は前記一連の画像データのヘッダ領域に記述、又は前記再生プログラム中に記述される構成とすることができる。
【００１５】
また、本発明のデジタルカメラは、少なくとも、連写撮影モード又はパノラマ撮影モードにより一連の画像データを取得する手段と、前記一連の画像データを関連付ける関連付け情報を生成する関連付け情報生成手段と、前記一連の画像データと、前記関連付け情報と、コンピュータを、前記関連付け情報を参照して、前記一連の画像データを関連付けて前記表示手段に表示させる再生制御手段として機能させるプログラムと、を含む再生データを生成する手段と、少なくとも前記再生データを記録媒体に記録する手段と、を少なくとも備えるものである。
【００１６】
また、本発明のデータ記録装置は、少なくとも、連写撮影モード又はパノラマ撮影モードにより撮影して得られた一連の画像データを入力する手段と、前記一連の画像データを関連付ける関連付け情報を生成する関連付け情報生成手段と、前記一連の画像データと、前記関連付け情報と、コンピュータを、前記関連付け情報を参照して、前記一連の画像データを関連付けて前記表示手段に表示させる再生制御手段として機能させるプログラムと、を含む再生データを生成する手段と、少なくとも前記再生データを記録媒体に記録する手段と、を少なくとも備えるものである。
【００１７】
また、本発明のデータ記録装置は、少なくとも、連写撮影モード又はパノラマ撮影モードにより撮影して得られた一連の画像データを入力する手段と、前記一連の画像データを関連付ける関連付け情報を生成する関連付け情報生成手段と、前記一連の画像データと、前記関連付け情報と、コンピュータを、前記関連付け情報を参照して、前記一連の画像データを関連付けて前記表示手段に表示させる再生制御手段として機能させるプログラムと、を含む再生データを生成する手段と、前記一連の画像データを含む画像データをＶｉｄｅｏ−ＣＤ形式、ＤＶＤ−Ｖｉｄｅｏ形式、ＨＤＴＶ形式のいずれかの形式のデータに変換する手段と、少なくとも前記再生データと前記変換されたデータとを記録媒体に記録する手段と、を少なくとも備えるものである。
【００１８】
このように本発明の構成によれば、連写モードやパノラマモードで撮影して得られた一連の画像データが関連付け情報によって関連付けられるため、これら一連の画像データを効果的に表示手段に表示させることができる。また、一連の画像データと関連付け情報（特定の情報ファイルに記述されていてもよいし、画像データのヘッダ領域に記述されていてもよいし、再生プログラム中に記述されていてもよい。）と再生プログラムとがセットになった再生データが生成されて記録媒体に記録されるため、再生プログラムがインストールされていないコンピュータ機器でも同様に一連の画像データを効果的に再生することができる。
【発明の効果】
【００１９】
本発明の再生プログラム及び再生データ生成プログラム並びにデータ記録手段によれば、下記記載の効果を奏する。
【００２０】
本発明の第１の効果は、各種モードで撮影して得られた一連の画像データを効果的に表示手段に再生することができるということである。
【００２１】
その理由は、再生プログラムでは、記録手段に記録された情報ファイルの記述や、画像データのヘッダ領域、再生プログラム中の記述、記録手段のフォルダ階層構造やフォルダ名、画像データのファイル名などを参照して、連写モードやパノラマモードで撮影して得られた一連の画像データの関連付けるための関連付け情報を取得し、該関連付け情報を参照して、一連の画像データを関連付けて表示手段に表示させるからである。
【００２２】
また、本発明の第２の効果は、再生プログラムがインストールされていないコンピュータ機器でも同様に一連の画像データを効果的に再生することができるということである。
【００２３】
その理由は、再生データ生成プログラムでは、関連付け情報を生成して特定の情報ファイルに記述したり画像データのヘッダ領域に記述したり再生プログラム中に記述し、一連の画像データと関連付け情報と再生プログラムと必要に応じて動画データとを含む再生データを生成するからである。
【発明を実施するための最良の形態】
【００２４】
本発明に係る再生プログラムは、その好ましい一実施の形態において、コンピュータを、少なくとも、記録媒体やメディアなどの記録手段に記録された情報ファイルの記述、画像データのヘッダ領域や再生プログラム中の記述、記録手段の記録構造や画像データのファイル名などを参照して、連写モードやパノラマモードで撮影して得られた一連の画像データを関連付けるための関連付け情報を取得する関連付け情報取得手段、取得した関連付け情報を参照して、連写モードで撮影して得られた一連の画像データを特定し、各々の画像データに基づく画像の再生時間を制御して再生、又は、パノラマモードで撮影して得られた一連の画像データを特定し、各々の画像データに基づく画像の表示位置を制御して再生する再生制御手段、として機能させるものであり、該再生プログラムにより、各種モードで得られた一連の画像データを効果的に表示手段に表示させることができる。また、再生データ生成プログラムは、コンピュータを、一連の画像データを関連付ける関連付け情報を生成して特定の情報ファイルに記述したり画像データのヘッダ領域に記述したり再生プログラム中に記述する関連付け情報生成手段、一連の画像データと関連付け情報と再生プログラムと必要に応じて動画データとを含む再生データを生成する再生データ生成手段として機能させるものであり、この再生データを用いることにより、再生プログラムがインストールされていないコンピュータ機器を用いても同様に各種モードで得られた一連の画像データを効果的に表示手段に表示させることができる。
【実施例】
【００２５】
上記実施形態について詳細に説明すべく、本発明の一実施例に係る再生プログラム及び再生データ生成プログラム並びにデータ記録装置について、図１乃至図１７を参照して説明する。図１は、本実施例に係る画像データ利用システムの構成を模式的に示す図であり、図２乃至図４は、各々、デジタルカメラ、記録媒体作成装置、コンピュータ機器の機能を示すブロック図である。また、図５乃至図８は、本実施例に係るコンピュータ機器の他の構成を模式的に示す図であり、図９乃至図１１は、各々、写真を撮影する手順、記録媒体を作成する手順、記録媒体を用いて画像を再生する手順を示すフローチャート図である。また、図１２及び図１３は、データの記録構造を示す図であり、図１４乃至図１７は、コンピュータ機器の表示手段に表示される画面の一例を示す図である。
【００２６】
本実施例の画像データ利用システムは、図１に示すように、デジタルカメラ７（デジタルスチルカメラ及びデジタルムービーカメラの双方を含む。）やカメラ付き携帯電話機７ａなどの撮影機器（以下、デジタルカメラ７として説明する。）と、後述する再生データを生成し、記録媒体９に記録する記録媒体作成装置１と、再生データを用いて一連の画像データを関連付けて効果的に再生するコンピュータ機器１０とを少なくとも備えている。
【００２７】
デジタルカメラ７には、図２に示すように、通常の撮影モードや連写モード、パノラマモードなどの各種モードで写真を撮影する撮影手段２０と、連写モード又はパノラマモードで撮影して得られた一連の画像データを関連付けるための関連付け情報を生成し、特定の情報ファイルに記述又は画像データや再生プログラムに関連付け情報を書き込む関連付け情報生成手段２１と、一連の画像データと関連付け情報と再生プログラムとを含む再生データを生成する再生データ生成手段２２と、生成した再生データをスマートメディア、コンパクトフラッシュ（登録商標）、メモリースティック（登録商標）、ＳＤメモリーカード、マルチメディアカードなどの記録媒体（以下、メディア８と呼ぶ。）に記録するデータ記録手段２３と、撮影した画像データを液晶モニタなどの表示手段に再生する制御を行う再生制御手段２４とを備えている。なお、ここではデジタルカメラ７で再生データを生成できるように関連付け情報生成手段２１及び再生データ生成手段２２を設けているが、デジタルカメラ７では各種モードで撮影して得られた画像データをそのまま記録し、記録媒体作成装置１側で一連の画像データを関連付けて再生データを生成してもよく、その場合はデジタルカメラ７に関連付け情報生成手段２１及び再生データ生成手段２２を設ける必要はない。
【００２８】
また、記録媒体作成装置１は、図１及び図３に示すように、メディア８を装填するメディア装填部２、デジタルカメラ７やカメラ付き携帯電話機７ａ等の撮影機器を有線又は無線、赤外線等によって接続するための機器接続部３等を用いて画像データを入力するデータ入力手段２５と、関連付け情報を生成し、特定の情報ファイルに記述又は画像データや再生プログラムに関連付け情報を書き込む関連付け情報生成手段２１と、一連の画像データと関連付け情報と再生プログラムとを含む再生データを生成する再生データ生成手段２２と、ＣＤ−Ｒ／ＲＷやＤＶＤ±Ｒ／ＲＷ、ＤＶＤ−ＲＡＭ、Ｂｌｕ−ｒａｙディスク等の記録媒体９が装填される記録媒体装填部４を用いて再生データやＤＶＤプレーヤやＤＶＤレコーダ、ゲーム機などで再生可能な形式に変換された画像データなどを記録するデータ記録手段２６と、ボタン、キーボード、マウス等の操作手段６及びＬＣＤ、ＣＲＴ等の表示手段５（図では操作手段６と表示手段５とを兼ね備えるタッチパネルを示している。）とを備えている。
【００２９】
なお、図１では記録媒体作成装置１として写真店やコンビニエンスストアなどの店舗に設置される無人端末（キオスク）を示しているが、記録媒体作成装置１の形態は任意であり、入力手段や記録手段を備えた専用のセットトップボックスやポータブルライター、パーソナルコンピュータなどとしてもよい。また、上記各手段はデジタルカメラ７又は記録媒体作成装置１にハードウェアとして構成されていてもよいし、コンピュータを、少なくとも、関連付け情報生成手段２１及び再生データ生成手段２２として機能させる再生データ生成プログラムとして構成し、該プログラムをデジタルカメラ７又は記録媒体作成装置１にインストールして実行する構成としてもよい。
【００３０】
また、コンピュータ機器１０は、演算処理手段に加えて、図１に示すように、上記記録媒体９を装填する記録媒体装填部１４と、モニタ等の表示手段１５と、キーボード、マウス等の操作手段１６とを少なくとも備え、必要に応じて、ハードディスク１１などの内部記録手段、デジタルカメラ７やカメラ付き携帯電話機７ａなどの撮影機器を接続するための機器接続部１３、メディア８を装填するためのメディア装填部１２、通信ネットワーク１９を介してホームサーバ１８やｗｅｂサーバ１７と接続するためのネットワーク接続部などを備える。
【００３１】
上記コンピュータ機器１０の主な機能をブロック図で示すと図４のようになる。すなわち、記録媒体９やメディア８、デジタルカメラ７、ハードディスク１１、ホームサーバ１８、ｗｅｂサーバ１７などの各種記録手段から画像データを読み込むデータ入力手段２７と、上記記録手段に記録された情報ファイルの記述、画像データのヘッダ領域や再生プログラムの記述、記録手段に生成されたフォルダの階層構造やフォルダの名称などに基づいて特定されるデータの記録構造、ファイルの名称などを参照して、記録手段に記録されている一連の画像データを関連付ける関連付け情報を取得する関連付け情報取得手段２８と、関連付け情報を参照して、一連の画像データに基づく画像を関連付けて表示手段１５に表示する制御を行う再生制御手段２９とを少なくとも備えている。
【００３２】
なお、上記各手段はコンピュータ機器１０にハードウェアとして構成されていてもよいし、コンピュータを、少なくとも、関連付け情報取得手段２８及び再生制御手段２９として機能させる再生プログラムとして構成し、該プログラムをコンピュータ機器１０にインストールして実行する構成としてもよい。また、図１ではコンピュータ機器１０としてパーソナルコンピュータを用いる場合を示しているが、コンピュータ機器１０の形態も任意であり、再生プログラムを実行可能な演算処理手段を備えたものであれば良く、例えば、図５に示すように専用のセットトップボックスとしたり、図６に示すようにポータブルライターとしたり、図７に示すように演算処理手段を備えるＨＤＤレコーダやＤＶＤレコーダ、ゲーム機としたり、図８に示すように、演算処理手段を備えるカーナビゲーション装置などとすることもできる。
【００３３】
次に、上記構成のデジタルカメラ７を用いて各種モードで写真を撮影する手順について図９のフローチャート図を参照して説明する。
【００３４】
まず、ステップＳ１０１で、デジタルカメラ７に設けられた操作手段を操作して撮影モードを設定し、ステップＳ１０２で該撮影モードで写真を撮影する。次に、ステップＳ１０３で、設定された撮影モードが一連の画像データが生成されるモード（ここでは連写モード又はパノラマモード）であるか、又は単独の画像データが生成されるモード（ここでは通常のモード）であるかを判断し、通常のモードで撮影した場合は、ステップＳ１０４で１回の撮影毎に独立した１つの画像データを取得する。
【００３５】
また、連写モード又はパノラマモードで撮影した場合は、ステップＳ１０５で１回の撮影毎に一連の画像データ（例えば、連写モードの場合は予め設定された時間間隔で連続して撮影して得られた複数の画像データ、パノラマモードの場合は該モード設定中に撮影された複数の画像データ）を取得し、ステップＳ１０６で、関連付け情報生成手段２１を用いて、これら一連の画像データの関連付けを行う。
【００３６】
この一連の画像データを関連付ける方法としては以下の３つの態様が考えられる。第１の態様は、各々の画像データが連写モード又はパノラマモードで撮影して得られた一連の画像データの１つであることを示す情報（例えば、一連の画像データを構成する各々の画像データのファイル名、連写又はパノラマの種別、データの順番等を対応づける情報、図１２の構成の場合、”Ryymmdd00021,C1-001,Ryymmdd00022,C1-002,…,Ryymmdd00037,C1-016,”や”Ryymmdd00050,P1-001,Ryymmdd00051,P1-002,…,Ryymmdd00055,P1-006,”等）を生成し、特定の情報ファイル（info.txt）に記述する方法である。
【００３７】
また、第２の態様は画像データ又は再生プログラムに関連付け情報を書き込む方法である。具体的には、ｅｘｉｆ形式の画像データのヘッダ領域や再生プログラム中に該画像データが連写モード又はパノラマモードで撮影して得られた一連の画像データの１つであることを示す情報、例えば、Ryymmdd00021.exifのヘッダ領域に”C1-001”と記述したり、再生プログラム中に上記関連付け情報の内容を記述する。
【００３８】
また、第３の態様は、一連の画像データを記録構造や名称により関連付ける方法であり、具体的には、一連の画像データを所定の階層構造、名称のフォルダに分類して記録する。例えば、図１３に示すように”PS_Roll”という名称のフォルダの下位の階層に”RO”フォルダを設け、更に下位の階層に設けた”CNT”フォルダに連写モードで得られた一連の画像データを格納し、同様に”PANORAMA”フォルダにパノラマモードで得られた一連の画像データを格納する。また、一連の画像データの各々に付与するファイル名を、”yymmddEE-01、02…（yymmdd：書き込み年月日を特定する数字、EE：コマ毎のシーケンシャル番号）などの連番の文字で構成する。なお、上記３つの態様は例示であり、対象となる画像データが連写モード又はパノラマモードで撮影して得られた一連の画像データであることを識別できる方法であれば他の方法を用いてもよい。
【００３９】
このように、関連付け情報が記述された情報ファイルを生成したり、画像データのヘッダ領域や再生プログラム中に関連付け情報を書き込んだり、関連付けが識別できるように記録構造や名称を設定することにより、再生プログラムがインストールされたデジタルカメラ７では該関連付け情報を参照して一連の画像データを関連付けて表示手段に表示させることができるが、再生プログラムがインストールされていないコンピュータ機器でも同様に一連の画像データを効果的に再生することができるように、ステップＳ１０７で、再生データ生成手段２２を用いて再生データを生成する。具体的には、一連の画像データと、関連付け情報（該関連付け情報は特定の情報ファイルに記述されていてもよいし、画像データに書き込まれていてもよいし、再生プログラム自体に書き込まれていてもよい。）と、該関連付け情報を参照して一連の画像データを関連付けて表示手段に表示させる再生プログラムとを含む再生データを生成する。なお、上述したように再生データの生成は記録媒体作成装置１で行ってもよく、その場合はステップＳ１０６の関連付け情報の生成及びステップＳ１０７の再生データの生成は不要である。
【００４０】
そして、ステップＳ１０８で、データ記録手段２３を用いて、通常モードで撮影して得られた独立した画像データや、連写モード又はパノラマモードで撮影して得られた再生データをメディア８に記録する。その際、上述した第３の態様で関連付けする場合は、関連付け情報を特定の情報ファイルや画像データ、再生プログラムに書き込まずに、所定の階層構造、名称のフォルダに分類して一連の画像データを格納したり、各々の画像データに所定の名称を付与する。その後、撮影が終了するまで同様の処理を行う。
【００４１】
上記手順に従って再生データが記録されたメディア８を得ることができ、このメディア８をコンピュータ機器１０に装填することにより各種モードで撮影された画像データを再生することができるが、再生データを生成する手段を備えていないデジタルカメラ７で写真を撮影した場合でも一連の画像データを効果的に表示させることができるように、記録媒体作成装置１で再生データを生成して記録媒体９に記録することもできる。その場合の手順について図１０のフローチャート図を参照して説明する。
【００４２】
まず、ステップＳ２０１で、記録媒体作成装置１のメディア装填部２にメディア８を装填、又は、機器接続部３にデジタルカメラ７を接続すると共に、記録媒体装填部４に記録媒体９を装填する。次に、ステップＳ２０２で、デジタルカメラ７やメディア８に記録された画像データ（本画像データ、連写画像データ、パノラマ画像データ、動画データなど）を読み取り、ステップＳ２０３で、読み取った画像データが予め関連付けられているか否かを判断する。具体的には、予め定められた情報ファイルが存在するか、画像データのヘッダ領域に関連付け情報が書き込まれているか、メディア８の中に予め定められた階層構造、名称のフォルダやファイルが存在するかなどに基づいて判断する。
【００４３】
そして、読み取った画像データが関連付けられていない場合は、ステップＳ２０４で、関連付け情報生成手段２１を用いて一連の画像データの関連付けを行う。この関連付けの方法としては、上述した図９のステップＳ１０６で示したように、関連付け情報を特定の情報ファイルに記述する方法、画像データ又は再生プログラム自体に関連付け情報を書き込む方法、画像データの記録構造やファイル名などにより関連付ける方法が考えられ、これらの方法により関連付けを行う。
【００４４】
次に、ステップＳ２０５で、再生データ生成手段２２を用いて再生データを生成する。具体的には、一連の画像データと、関連付け情報（該関連付け情報は特定の情報ファイルに記述されていてもよいし、画像データに書き込まれていてもよいし、再生プログラム自体に書き込まれていてもよい。）と、該関連付け情報を参照して一連の画像データを関連付けて表示手段に表示させる再生プログラムとを含む再生データを生成する。
【００４５】
再生データ生成後又はステップＳ２０３で画像データが予め関連付けられている場合は、ステップＳ２０６で、必要に応じて、読み取った画像データをＤＶＤプレーヤやＤＶＤレコーダ、ゲーム機等の画像再生機器で読み取り可能な動画データ（Ｖｉｄｅｏ−ＣＤ形式、ＤＶＤ−Ｖｉｄｅｏ形式、ＨＤＴＶ形式などのデータ）に変換する。なお、画像データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。また、必要に応じて、デジタルカメラ７などから読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００４６】
次に、ステップＳ２０７で、データ転送手段を用いて、画像再生機器で再生できるように変換されたデータ等（以下、画像再生機器用データ群と呼ぶ。）を予め設けた書き込み用の所定のフォルダに転送した後、データ記録手段を用いて、該フォルダから画像再生機器用データ群を読み出して、記録媒体９の論理アドレス領域の内側に記録する。その後、ステップＳ２０８で、データ記録手段を用いて、コンピュータ機器用のデータの記録を行う前に、画像再生機器で使用可能なデータの領域を区分するために一旦セッションをクローズする。
【００４７】
次に、ステップＳ２０９で、データ転送手段を用いて、本画像データ、連写画像データ、パノラマ画像データ、必要に応じて縮小画像データや音楽データ、予め記録されたプログラムや設定ファイル等（以下、これらを総称してコンピュータ機器用データ群と呼ぶ。）を予め設けた書き込み用の所定のフォルダに転送した後、データ記録手段を用いて、該フォルダからコンピュータ機器用データ群を読み出して、記録媒体９に先に記録された画像再生機器用データ群の外側に記録して一連の書き込み処理を終了する。
【００４８】
上記手順で作成された記録媒体９の記録構造は、例えば、図１２に示すようになり、”PS_Roll”フォルダ内の本画像データ（Ryymmdd00001.jpgなど）、サムネイル画像データ（TyymmddEEEEE.jpgなど）、スクリーンネイル画像データ（SyymmddEEEEE.jpgなど）、連写画像データ（Ryymmdd00021.jpgなど）、パノラマ画像データ（Ryymmdd00050.jpgなど）などの画像データ群及び関連付け情報が記述された情報ファイル（info.txtなど）と、”Slideshow”フォルダ内の再生プログラムとして機能するスライドショープログラム及びスライドショーの設定ファイルとでコンピュータ機器用データ群が構成され、”VCD”フォルダ内の画像データをＶｉｄｅｏ−ＣＤ形式、ＤＶＤ−Ｖｉｄｅｏ形式、ＨＤＴＶ形式用データ等として関連付けるファイルと、”SEGMENT”フォルダ内のＴＶ画面に表示する画像データと、”MPEGAV”フォルダ内の動画データと、”DAT”フォルダ内のＴＶ画面に静止画像データを表示するためのアプリケーションとで画像再生機器用データ群が構成される。
【００４９】
また、各種モードの一連の画像データをフォルダに分類して格納する場合は図１３に示すようになり、本画像データ（RyymmddEEEEE.jpgなど）、サムネイル画像データ（TyymmddEEEEE.jpgなど）、スクリーンネイル画像データ（SyymmddEEEEE.jpgなど）、連写画像データ（CyymmddEE-01.jpgなど）、パノラマ画像データ（PyymmddEE-01.jpgなど）などの画像データ群が”PS_Roll”フォルダ内に格納される。
【００５０】
なお、画像データ群の記録構造、フォルダ名、ファイル名などは任意であるが、画像データ群をコンピュータ機器１０のハードディスク１１などにバックアップした場合における管理を容易にするために、予め定められたルールに従ってフォルダを構成し、そのフォルダにユニークな名称を付与することが好ましい。例えば、図１０に示すように、画像データの格納場所を示すフォルダ（PS_Roll）の下位の階層にメディア８毎、機器毎の画像データの格納場所を示すフォルダ（RO_AABC_XXXXX_YYMMDD_yyy_zzz）を作成し、各々の要素を、AA：国別のコード番号（00〜ZZ）、B：地域別のコード番号（0〜Z）、C：記録媒体の作り方を示すコード番号（例えば、キオスクで作った場合はk、ラボで作った場合はLなど）、XXXXX：ランダムなＩＤ番号、yymmdd：書き込み年月日を特定する数字、yyy：日毎のシーケンシャル番号、zzz：所定の単位毎（例えば、フィルム毎やメディア毎、機器毎など）のシーケンシャル番号などとしてフォルダを識別しやすくしてもよい。
【００５１】
このように、記録媒体作成装置１では記録媒体９に再生データを記録するのみならず、ＤＶＤプレーヤやＤＶＤレコーダ、ゲーム機等の画像再生機器で読み取り可能な形式に変換した画像データも記録することができるため、コンピュータ機器でも画像再生機器でも記録媒体を利用することができ、ユーザの利便性を向上させることができる。
【００５２】
ここで、コンピュータ機器１０では、メディア８又は記録媒体９に記録された再生データを利用して一連の画像データを効果的に表示手段に表示することができるが、以下では、記録媒体９に記録された再生データを利用する場合の手順について、図１１のフローチャート図を参照して説明する。なお、ここでは通常の撮影モードで得られた画像データや連写モードで得られた連写画像データ、パノラマモードで得られたパノラマ画像データをスライドショーとして表示手段１５に表示させる場合について説明する。
【００５３】
まず、ステップＳ３０１で、記録媒体９をコンピュータ機器１０の記録媒体装填部１４に装填し、ステップＳ３０２で、記録媒体９から上述した手順で生成された再生データを読み取り、ステップＳ３０３で該再生データに含まれる再生プログラムを起動させる。
【００５４】
次に、ステップＳ３０４で再生プログラム（関連付け情報取得手段２８）を用いて、記録媒体９に記録されている画像データの中の連写モード又はパノラマモードで撮影された一連の画像データを関連付ける関連付け情報を取得する。具体的には、関連付け情報取得手段２８は、特定の情報ファイルや画像データのヘッダ領域、再生プログラム中の記述を参照して関連付け情報を取得する。また、記録媒体９に作成されているフォルダの階層構造やフォルダの名称を調べ、例えば、図１３のように”PS_Roll”という名称のフォルダが存在する場合は、その下位の階層の”RO”フォルダ内の”CNT”フォルダに格納されている一連の画像データが連写画像データ、”PANORAMA”フォルダに格納されている一連の画像データがパノラマ画像データであると認識する。また、一連の画像データが”CyymmddEE-01、02…などの連番の文字で構成されている場合は連写画像データ、一連の画像データが”PyymmddEE-01、02…などの連番の文字で構成されている場合はパノラマ画像データであると認識する。
【００５５】
次に、ステップＳ３０５で、関連付けられた一連の画像データを再生するための再生条件を設定する。例えば、一連の画像データが連写画像データの場合は、各々の画像データを再生する時間を設定する。この再生時間は任意に設定することができるが、例えば、連写画像データを含む画像データをスライドショーとして表示する場合は、スライド間隔として設定されている時間内に一連の連写画像データが表示されるように、スライド間隔を連写画像データを構成する画像データの数で除算した時間を各々の連写画像データの再生時間とすることができる。また、画像データのヘッダ領域に記述された撮影日時情報を参照して撮影間隔を演算し、撮影時と同じ条件で再生することもできる。また、予め定めた時間間隔、好ましくは撮影時よりも短い時間間隔で再生することもできる。なお、いずれの時間を再生時間とするかをユーザに選択させるようにしてもよい。
【００５６】
また、一連の画像データがパノラマ画像データの場合は、各々の画像データのヘッダ領域に記述されている撮影方向に関する情報を参照して、各々の画像データの再生位置関係（例えば、左側、中央、右側、上側、下側など）を設定する。
【００５７】
次に、上記再生条件に従って一連の画像データを再生するが、ここではスライドショーの各種設定を行うために、ステップＳ３０６で表示手段１５に図１４に示すようなメニュー画面３０を表示させる。このメニュー画面３０の構成は任意であるが、例えば、枠内に表示される画像データ群を識別するためのタグ表示欄３１と、画像データに基づく画像を表示する画像表示欄３２と、画像データを用いた処理が選択可能に表示される作業メニュー欄３３などで構成することができる。そして、ステップＳ３０７で、ユーザは操作手段１６を用いて画像表示欄３２の中から所望の画像を選択し、ステップＳ３０８でスライドショー表示ボタンを押すと、ステップＳ３０９で再生制御手段２９により、通常のモードで撮影された画像データは予め定められたスライド間隔、スライド効果で表示され、連写モード又はパノラマモードで撮影された一連の画像データは上記再生条件に従って関連付けられて表示される。
【００５８】
具体的には、一連の画像データが図１２に示す構成の連写画像データの場合は、図１５に示すように、スライドショー画面３４に１番目の画像データ（Ryymmdd00021.jpg）に基づく画像が表示され、再生条件で定められた再生時間経過後、２番目の画像データ（Ryymmdd00022.jpg）に基づく画像が表示され、以下、同様に１６番目の画像データ（Ryymmdd00037.jpg）に基づく画像まで順次表示される。なお、図１４は例示であり、画像の表示サイズや表示位置、表示効果などは任意に設定することができ、例えば、前の画像の上に次の画像を重ねて表示したり、スライドショー画面３４を所定数に分割（例えば１６分割）し、各々の画像を対応する位置に順次表示してもよい。
【００５９】
また、一連の画像データが図１２に示す構成のパノラマ画像データの場合は、図１６に示すように、スライドショー画面３４に１番目の画像データ（Ryymmdd00050.jpg）に基づく画像が再生条件で定められた位置（ここでは左端）に表示され、２番目の画像データ（Ryymmdd00051.jpg）に基づく画像が再生条件で定められた位置（ここでは１番目の画像データの右側かつ部分的に重なる位置）に表示され、以下、同様に６番目の画像データ（Ryymmdd00055.jpg）に基づく画像が表示されてパノラマ画像が合成されて表示される。なお、図１６は例示であり、画像の表示サイズや表示位置、表示効果などは任意に設定することができ、例えば、図１７に示すように一端（例えば、左端）側から順に画像をずらして（ここでは左方向にずらして）表示し、ファインダーで覗いた状態のように表示することもできる。また、図１６及び図１７では一連の画像データに基づく画像を水平方向に繋ぎ合わせる場合を示したが、デジタルカメラ７を垂直方向にターンしてパノラマ画像を撮影した場合は一連の画像データに基づく画像を垂直方向に繋ぎ合わせればよい。また、予め定められた画像合成プログラムを用いて一連の画像データに基づく画像を繋ぎ合わせてパノラマ画像を生成し、このパノラマ画像を通常の画像データに基づく画像と同様に表示してもよい。
【００６０】
このように、本実施例では、連写モードやパノラマモードで撮影された一連の画像データを関連付けて表示手段１５に表示することができるため、一連の画像データを効果的に再生することができる。
【００６１】
なお、上記では、画像データとして、通常モードで撮影した画像データ、連写モードで撮影した画像データ、パノラマモードで撮影した画像データを例にして説明したが、本発明は上記実施例に限定されるものではなく、他のモードで撮影した画像データを用いることができるのは明らかである。
【図面の簡単な説明】
【００６２】
【図１】本発明の一実施例に係る写真画像利用システムの構成を模式的に示す図である。
【図２】本発明の一実施例に係るデジタルカメラの主な手段を示すブロック図である。
【図３】本発明の一実施例に係る記録媒体作成装置の主な手段を示すブロック図である。
【図４】本発明の一実施例に係るコンピュータ機器の主な手段を示すブロック図である。
【図５】本発明の一実施例に係るコンピュータ機器の他の構成を模式的に示す図である。
【図６】本発明の一実施例に係るコンピュータ機器の他の構成を模式的に示す図である。
【図７】本発明の一実施例に係るコンピュータ機器の他の構成を模式的に示す図である。
【図８】本発明の一実施例に係るコンピュータ機器の他の構成を模式的に示す図である。
【図９】本発明の一実施例に係るデジタルカメラを用いた写真撮影手順を示すフローチャート図である。
【図１０】本発明の一実施例に係る記録媒体作成装置を用いた記録媒体の作成手順を示すフローチャート図である。
【図１１】本発明の一実施例に係るコンピュータ機器を用いた画像データの利用手順を示すフローチャート図である。
【図１２】本発明の一実施例に係る記録媒体における記録構造を示す図である。
【図１３】本発明の一実施例に係る記録媒体における記録構造を示す図である。
【図１４】本発明の一実施例に係るコンピュータ機器の表示手段に表示されるメニュー画面の構成例を示す図である。
【図１５】本発明の一実施例に係るコンピュータ機器の表示手段に表示される連写画像データのスライドショー画面の構成例を示す図である。
【図１６】本発明の一実施例に係るコンピュータ機器の表示手段に表示されるパノラマ画像データのスライドショー画面の構成例を示す図である。
【図１７】本発明の一実施例に係るコンピュータ機器の表示手段に表示されるパノラマ画像データのスライドショー画面の構成例を示す図である。
【符号の説明】
【００６３】
１  記録媒体作成装置
２  メディア装填部
３  機器接続部
４  記録媒体装填部
５  表示部
６  操作部
７  デジタルカメラ
７ａ  カメラ付き携帯電話機
８  メディア
９  記録媒体
９ａ  ＩＤ情報記録手段
１０  コンピュータ機器
１１  ハードディスク
１２  メディア装填部
１３  機器接続部
１４  記録媒体装填部
１５  表示手段
１６  操作手段
１７  ホームサーバ
１８  ｗｅｂサーバ
１９  通信ネットワーク
２０  撮影手段
２１  関連付け情報生成手段
２２  再生データ生成手段
２３、２６  データ記録手段
２４、２９  再生制御手段
２５、２７  データ入力手段
２８  関連付け情報取得手段
３０  メニュー画面
３１  タグ表示欄
３２  画像表示欄
３３  作業メニュー欄
３４  スライドショー画面
【図１】
2005269021.tif 000003
【図２】
2005269021.tif 000004
【図３】
2005269021.tif 000005
【図４】
2005269021.tif 000006
【図５】
2005269021.tif 000007
【図６】
2005269021.tif 000008
【図７】
2005269021.tif 000009
【図８】
2005269021.tif 000010
【図９】
2005269021.tif 000011
【図１０】
2005269021.tif 000012
【図１１】
2005269021.tif 000013
【図１２】
2005269021.tif 000014
【図１３】
2005269021.tif 000015
【図１４】
2005269021.tif 000016
【図１５】
2005269021.tif 000017
【図１６】
2005269021.tif 000018
【図１７】
2005269021.tif 000019